(57)【要約】  本願実施例は、端末は、セルからの測定再設定シグナリングを受信すると、前記測定再設定シグナリングに携帯された測定パラメータを抽出することと、前記端末ローカル測定設定リストと前記セルに対応する識別マッピングリストを呼び出すことであって、前記ローカルの測定設定リストは、ローカルの測定設定パラメータ及びそれに対応するローカル識別を記録するために用いられ、前記識別マッピングリストは、前記セルからの前記測定再設定シグナリングにおけるセル識別と前記端末が再度割り当てたローカル識別との間の対応関係を記録するために用いられることと、前記端末ローカル測定設定リストと前記識別マッピングリストに基づいて、前記測定再設定シグナリングに携帯された測定パラメータを処理することと、前記セルに接続の再設定完了シグナリングを送信することと、測定のレポート条件を満たす場合、セル測定識別を使用してセルに測定レポートシグナリングを送信することと、を含む、マルチ基地局接続管理方法、ユーザー端末及びコンピューター可読記憶媒体を提供する。【選択図】図１
2021501535.tif 000002
【特許請求の範囲】
【請求項１】
端末は、セルからの測定再設定シグナリングを受信すると、前記測定再設定シグナリングに携帯された測定パラメータを抽出することと、
前記端末ローカル測定設定リストと前記セルに対応する識別マッピングリストを呼び出すことであって、前記ローカルの測定設定リストは、ローカルの測定設定パラメータ及びそれに対応するローカル識別を記録するために用いられ、前記識別マッピングリストは、前記セルからの前記測定再設定シグナリングにおけるセル識別と前記端末が再度割り当てたローカル識別との間の対応関係を記録するために用いられることと、
前記端末ローカル測定設定リストと前記識別マッピングリストに基づいて、前記測定再設定シグナリングに携帯された測定パラメータを処理することと、
前記セルに接続の再設定完了シグナリングを送信することと、
測定のレポート条件を満たす場合、セル測定識別を使用してセルに測定レポートシグナリングを送信することと、を含む、マルチ基地局接続管理方法。
【請求項２】
前記測定パラメータはセルの削除が必要な測定対象のセル測定対象識別を含む場合、前記端末ローカル測定設定リストと識別マッピングリストに基づいて、前記測定再設定シグナリングに携帯された測定パラメータを処理することは、
前記識別マッピングリストにおいて、前記セル測定対象識別のために再度割り当てられたローカル測定対象識別が存在するか否かを検索することと、
前記セル測定対象識別のために再度割り当てられたローカル測定対象識別が存在する場合は、前記ローカル測定対象識別をキー値とし、前記セル測定対象識別のために再度割り当てられたローカル測定対象識別が存在しない場合は、前記セル測定対象識別をキー値とすることと、
前記端末ローカル測定設定リストにおいて、前記キー値に対応する測定対象を削除することと、を含む、請求項１に記載のマルチ基地局接続管理方法。
【請求項３】
前記端末ローカル測定設定リストと識別マッピングリストに基づいて、前記測定再設定シグナリングに携帯された測定パラメータを処理することは、
前記端末ローカル測定設定リストに基づいて、ローカルに他の測定に関連するローカル測定対象識別が前記キー値であることが存在するかどうかを検索することと、
他の測定に関連するローカル測定対象識別が前記キー値であることがローカルに存在する場合、キー値に対応する測定対象を削除しないことと、
他の測定に関連するローカル測定対象識別が前記キー値であることがローカルに存在しない場合、キー値に対応する測定対象を削除することと、をさらに含む、請求項２に記載のマルチ基地局接続管理方法。
【請求項４】
前記測定パラメータはセルの追加が必要な測定対象のセル測定対象識別を含む場合、前記端末ローカル測定設定リストと識別マッピングリストに基づいて、前記測定再設定シグナリングに携帯された測定パラメータを処理することは、
前記端末ローカル測定設定リストにおいて、前記測定パラメータにおける測定対象とローカルに実行している測定の測定対象との間に、測定周波数ポイントの競合、あるいは、測定対象識別の競合が存在するか否かを比較することと、
測定周波数ポイントの競合が存在する場合、ローカルの同じ周波数ポイントの測定対象の識別を用いてセル測定対象識別を置き換え、前記セル測定対象識別とローカル測定対象識別の対応関係を識別マッピングリストに追加し、２つの測定対象のすべての設定をローカルでマージすることと、
測定対象識別の競合が存在する場合、セル測定対象識別に未使用のローカル測定対象識別を割り当て、前記セル測定対象識別と前記ローカル測定対象識別の対応関係を前記識別マッピングリストに追加し、前記測定対象を前記端末ローカル測定設定リストに追加することと、を含む、請求項１に記載のマルチ基地局接続管理方法。
【請求項５】
前記測定パラメータはセルの削除が必要なレポート設定のセルレポート設定識別を含む場合、前記端末ローカル測定設定リストと識別マッピングリストに基づいて、前記測定再設定シグナリングに携帯された測定パラメータを処理することは、
前記識別マッピングリストにおいて、前記セルレポート設定識別のために再度割り当てられたローカルレポート設定識別が存在するか否かを検索することと、
前記セルレポート設定識別のために再度割り当てられたローカルレポート設定識別が存在する場合は、前記ローカルレポート設定識別をキー値とし、前記セルレポート設定識別のために再度割り当てられたローカルレポート設定識別が存在しない場合は、前記セルレポート設定識別をキー値とすることと、
前記端末ローカル測定設定リストにおいて、前記キー値に対応するレポート設定を削除することと、を含む、請求項１に記載のマルチ基地局接続管理方法。
【請求項６】
前記測定パラメータはセルの追加が必要なレポート設定のセルレポート設定識別を含む場合、前記端末ローカル測定設定リストと識別マッピングリストに基づいて、前記測定再設定シグナリングに携帯された測定パラメータを処理することは、
前記端末ローカル測定設定リストにおいて、前記測定パラメータにおけるレポート設定とローカルに実行している測定のレポート設定との間に、レポート設定識別の競合が存在するか否かを比較することと、
レポート設定識別の競合が存在する場合、セルレポート設定識別に未使用のローカルレポート設定識別を割り当て、前記セルレポート設定識別と前記ローカルレポート設定識別の対応関係を前記識別マッピングリストに追加し、前記レポート設定を前記端末ローカル測定設定リストに追加することと、を含む、請求項１に記載のマルチ基地局接続管理方法。
【請求項７】
前記測定パラメータはセルの削除が必要な測定のセル測定識別を含む場合、前記端末ローカル測定設定リストと識別マッピングリストに基づいて、前記測定再設定シグナリングに携帯された測定パラメータを処理することは、
前記識別マッピングリストにおいて、前記セル測定識別のために再度割り当てられたローカル測定識別が存在するか否かを検索することと、
前記セル測定識別のために再度割り当てられたローカル測定識別が存在する場合は、前記ローカル測定識別をインデックスとし、前記セル測定識別のために再度割り当てられたローカル測定識別が存在しない場合は、前記セル測定識別をインデックスとすることと、
前記端末ローカル測定設定リストにおいて、前記インデックスに対応する関連する測定対象識別と測定設定識別の組み合わせを削除することと、を含む、請求項１に記載のマルチ基地局接続管理方法。
【請求項８】
前記測定パラメータはセルの追加が必要な測定のセル測定識別を含む場合、前記端末ローカル測定設定リストと識別マッピングリストに基づいて、前記測定再設定シグナリングに携帯された測定パラメータを処理することは、
前記端末ローカル測定設定リストにおいて、前記測定パラメータにおける測定とローカルに実行している測定の測定との間に、測定識別の競合が存在するか否かを比較し、あるいは、測定パラメータにおける測定識別に関連する測定対象識別とレポート設定識別の組み合わせとローカルに実行している測定の測定識別に関連する測定対象識別とレポート設定識別の組み合わせが同じかである否かを比較することと、
測定識別の競合、あるいは、組み合わせの一致が存在する場合、セル測定識別に未使用のローカル測定識別を割り当て、前記セル測定識別と前記ローカル測定識別の対応関係を前記識別マッピングリストに追加することと、
前記セル測定識別に関連するセル測定対象識別とセルレポート設定識別の再度割り当てが存在する場合、それぞれ再度割り当てたローカル測定対象識別とローカルレポート設定識別を使用して関連する置き換えを行い、前記測定を前記端末ローカル測定設定リストに追加することと、を含む、請求項１に記載のマルチ基地局接続管理方法。
【請求項９】
前記セル測定識別を使用してセルに測定レポートシグナリングを送信することは、
ローカル測定を実行し、測定レポートを生成することと、
前記識別マッピングリストにおいて、ローカル測定識別に対応するセル測定識別を検索することと、
前記セル測定識別を前記測定レポートに追加し、対応するセルに送信することと、を含む、請求項８に記載のマルチ基地局接続管理方法。
【請求項１０】
前記測定パラメータにおける測定識別、レポート設定識別、及び測定対象識別のいずれかの識別が前記識別リストと競合する場合、ローカルの残りの識別リソースが存在するか否かを判断することと、
ローカルの残りの識別リソースが存在する場合、競合する識別にローカルの識別を割り当てることと、
ローカルの残りの識別リソースが存在しない場合、前記セルに測定再設定の無効シグナリングを送信することと、をさらに含む、請求項１〜９のいずれか１項に記載のマルチ基地局接続管理方法。
【請求項１１】
プロセッサー、メモリ、及び通信バスを含むユーザー端末であって、
前記通信バスは、プロセッサーとメモリとの間の接続通信を実現するように設定され、
前記プロセッサーは、メモリに記憶されている少なくとも１つのプログラムを実行し、請求項１〜１０のいずれか１項に記載のマルチ基地局接続管理方法を実現するように設定される、ユーザー端末。
【請求項１２】
コンピューター可読記憶媒体であって、前記コンピューター可読記憶媒体には少なくとも１つのプログラムが記憶され、前記少なくとも１つのプログラムが少なくとも１つのプロセッサーに実行されて請求項１〜１０のいずれか１項に記載のマルチ基地局接続管理方法を実現する、コンピューター可読記憶媒体。
【請求項１３】
プログラムを作動させるように設定されるプロセッサーであって、前記プログラムが作動されると、請求項１〜１０のいずれか１項に記載のマルチ基地局接続管理方法を実行する、プロセッサー。
【発明の詳細な説明】
【技術分野】
【０００１】
本願は、出願番号２０１７１１０５９９０２．２、出願日２０１７年１１月０１日の中国特許出願に基づいて提出し、該中国特許出願の優先権を主張するものであり、該中国特許出願の全ての内容が引用により本願に援用される。
【０００２】
本願は、ネットワークコンバージェンス分野に関し、例えば、マルチ基地局接続管理方法、ユーザー端末及びコンピューター可読記憶媒体に関する。
【背景技術】
【０００３】
無線通信ネットワークにおいて、基地局は、セルでユーザー端末に測定の再設定シグナリングを送信し、接続状態にあるユーザー端末（Ｕｓｅｒ  Ｅｑｕｉｐｍｅｎｔ、ＵＥ）に対して、レポート設定を行い、ＵＥは、これらのレポート設定に基づいて、エアインターフェース（Ａｉｒ  Ｉｎｔｅｒｆａｃｅ）測定を行い、測定結果のレポートを基地局に送信する。
【０００４】
各レポート設定は、１つの測定対象識別（Ｍｅａｓｒｅｍｅｎｔ  Ｏｂｊｅｃｔ  Ｉｄｅｎｔｉｔｙ、ｍｅａｓＯｂｊｅｃｔＩｄ）と１つのレポート設定識別（Ｒｅｐｏｒｔｉｎｇ  Ｃｏｎｆｉｇｒａｔｉｏｎ  Ｉｄｅｎｔｉｔｙ、ｒｅｐｏｒｔＣｏｎｆｉｇＩｄ）の組み合わせであり、この組み合わせは１つの唯一な測定識別（Ｍｅａｓｔｉｍｅｎｔ  Ｉｄｅｎｔｉｔｙ、ｍｅａｓｓｉｄ）で識別される。各ｍｅａｓＯｂｊｅｃｔＩｄは、１つの測定対象に対応し、すなわち、ＵＥは、エアインターフェース測定の測定周波数ポイントで測定する。各ｒｅｐｏｒｔＣｏｎｆｉｇＩｄは、１つのレポート設定に対応し、測定レポートの基準とフォーマット設定を定義する。
【０００５】
第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）３６．３３１プロトコルにおいて、各ｍｅａｓＯｂｊｅｃｔＩｄ、ｒｅｐｏｒｔＣｏｎｆｉｇＩｄ、及びｍｅａｓＩｄは再利用できないリソースであると定義されている。すなわち、基地局がＵＥに送信する測定では、重複したｍｅａｓＯｂｊｅｃｔＩｄ、ｒｅｐｏｒｔＣｏｎｆｉｇＩｄ、及びｍｅａｓｉｄが出現してはならず、これ以外、プロトコルはさらに、異なるｍｅａｓＯｂｊｅｃｔＩｄまたはｍｅａｓＩｄ識別の内容も重複してはならないと規定している。基地局からＵＥに送信した測定に重複したｍｅａｓＯｂｊｅｃｔＩｄ、ｒｅｐｏｒｔＣｏｎｆｉｇＩｄ、及びｍｅａｓｉｄが出現したか、または、異なるｍｅａｓＯｂｊｅｃｔＩｄまたはｍｅａｓＩｄ識別の内容が重複した場合、ＵＥの異常な測定結果あるいは再確立などの他の異常な挙動を引き起こす可能性がある。
【０００６】
関連技術において、ＵＥは２つ以上の基地局と同時に接続してもよく、これらの基地局は同一の通信ネットワークに属してもよく、異なる通信ネットワークに属してもよい。これらの基地局のうちの１つはマスタノード基地局（Ｍａｓｔｅｒ  Ｎｏｄｅ、ＭＮ）として、ほかはセカンダリノード基地局（Ｓｅｃｏｎｄａｒｙ  Ｎｏｄｅ、ＳＮ）としてもよく、ＭＮは基本的な測定に加えて、ＵＥにＳＮが追加した測定を送信する必要である。ＳＮは、ＵＥにＳＮの削除及び変更の測定を送信する必要がある。ＭＮとＳＮの間にネゴシエーション経路がないため、測定メカニズムは互いに独立しており、ＵＥ側より受信した異なる測定のｍｅａｓＯｂｊｅｃｔｉＩｄ、ｒｅｐｏｒｔＣｏｎｆｉｇＩｄ、及びｍｅａｓＩｄなどの識別が競合した場合、ＵＥの異常な測定結果または他の異常な動作の出現を引き起こす。
【発明の概要】
【発明が解決しようとする課題】
【０００７】
以下は本明細書で説明した主題の概要である。この概要は、特許請求の保護範囲を制限するためのものではない。
【０００８】
本願実施例に係るマルチ基地局接続管理方法、ユーザー端末及びコンピューター可読記憶媒体は、関連技術においてＭＮとＳＮの測定メカニズムが互いに独立していることに起因してＵＥ側より受信した異なる測定の識別が競合する状況を回避することができる。
【課題を解決するための手段】
【０００９】
本願実施例は、
端末は、セルからの測定再設定シグナリングを受信すると、測定再設定シグナリングに携帯された測定パラメータを抽出することと、
端末ローカル測定設定リストとセルに対応する識別マッピングリストを呼び出すことであって、ローカルの測定設定リストは、ローカルの測定設定パラメータ及びそれに対応するローカル識別を記録するために用いられ、識別マッピングリストは、セルからの測定再設定シグナリングにおけるセル識別と端末が再度割り当てたローカル識別との間の対応関係を記録するために用いられることと、
端末ローカル測定設定リストと識別マッピングリストに基づいて、測定再設定シグナリングに携帯された測定パラメータを処理することと、
セルに接続の再設定完了シグナリングを送信することと、
測定のレポート条件を満たす場合、セル測定識別を使用してセルに測定レポートシグナリングを送信することと、を含む、マルチ基地局接続管理方法を提供する。
【００１０】
本願実施例は、プロセッサー、メモリ、及び通信バスを含むユーザー端末であって、
通信バスは、プロセッサーとメモリとの間の接続通信を実現するように設定され、
プロセッサーは、メモリに記憶されている少なくとも１つのプログラムを実行し、上述したマルチ基地局接続管理方法を実現するように設定される、ユーザー端末を提供する。
【００１１】
本願実施例は、コンピューター可読記憶媒体には少なくとも１つのプログラムが記憶され、少なくとも１つのプログラムが少なくとも１つのプロセッサーに実行されて上述したマルチ基地局接続管理方法を実現する、コンピューター可読記憶媒体を提供する。
【００１２】
本願実施例は、プログラムを作動させるように設定されるプロセッサーであって、前記プログラムが作動されると、上述したマルチ基地局接続管理方法を実行する、プロセッサーを提供する。
【００１３】
図面と詳細な説明を読んで理解した後、他の側面を理解することができる。
【図面の簡単な説明】
【００１４】
【図１】本願の１つの実施例に係るマルチ基地局接続管理方法のフローチャートである。
【図２】本願の１つの実施例に係るマルチ基地局接続管理装置の構造模式図である。
【図３】本願の１つの実施例に係るユーザー端末の構造模式図である。
【図４】本願の１つの実施例に係る通信ネットワークの模式図である。
【図５】本願の１つの実施例に係るマルチ基地局接続管理方法のフローチャートである。
【図６】本願の１つの実施例に係る測定対象識別が競合する場合の方法のフローチャートである。
【図７】本願の１つの実施例に係る測定対象の測定周波数ポイントが競合する場合の方法のフローチャートである。
【図８】本願の１つの実施例に係るレポート設定識別が競合する場合の方法のフローチャートである。
【図９】本願の１つの実施例に係る測定識別が競合する場合の方法のフローチャートである。
【図１０】本願の１つの実施例に係るローカルの識別リソースが不足する場合のフローチャートである。
【発明を実施するための形態】
【００１５】
以下、具体的な実施形態及び図面を結び付けることにより、本願の実施例に対して詳しく説明する。ここで説明される具体的な実施例は、本願を解釈するためのものに過ぎず、本願を限定するものではないことを理解すべきである。
【００１６】
本願に係る測定再設定シグナリングに携帯された測定パラメータは、測定対象識別ｍｅａｓＯｂｊｅｃｔＩｄ、レポート設定識別ｒｅｐｏｒｔＣｏｎｆｉｇＩｄと測定識別ｍｅａｓＩｄなどの識別、及び、例えば、測定周波数ポイント、レポート設定の内容、測定識別に関連する測定対象識別及びレポート設定識別などの各識別に対応するすべてのパラメータを含む。
【００１７】
以下の説明を容易にするために、本願ではセルがユーザー端末に送信する測定再設定シグナリングに携帯された測定対象識別ｍｅａｓＯｂｊｅｃｔＩｄ、レポート設定識別ｒｅｐｏｒｔＣｏｎｆｉｇＩｄと測定識別ｍｅａｓＩｄなどの識別を、セル測定対象識別、セルレポート設定識別、セル測定識別などのセル識別として記載し、ユーザー端末を端末ローカル測定設定リストに記憶する測定対象識別ｍｅａｓＯｂｊｅｃｔＩｄ、レポート設定識別ｒｅｐｏｒｔＣｏｎｆｉｇＩｄと測定識別ｍｅａｓＩｄなどの識別を、ローカル測定対象識別、ローカルレポート設定識別とローカル測定識別などのローカル識別として記載する。
【００１８】
本願に係る端末ローカル測定設定リストとは、ローカルの測定設定パラメータ及び対応するローカル識別を記録するためのリストであり、本願において、端末のローカルの測定構成リストの記憶内容は、測定対象識別ｍｅａｓＯｂｊｅｃｔＩｄ、レポート設定識別ｒｅｐｏｒｔＣｏｎｆｉｇＩｄと測定識別ｍｅａｓＩｄを含む。
【００１９】
本願に係るマッピングリストとは、セルからの測定再設定シグナリングにおけるセル識別と端末が再度割り当てたローカル識別との間の対応関係を記録するためのリストであり、本願において、ユーザー端末がＭＮとＳＮの２つのセルのみを接続することを例として、すなわちＵＥはＭＮに係るプライマリセル（ｐｒｉｍａｒｙ  ｃｅｌｌ、Ｐｃｅｌｌ）に接続すると同時に、ＳＮに係るプライマリセカンダリセル（ｐｒｉｍａｒｙ  ｓｅｃｏｎｄａｒｙ  ｃｅｌｌ、Ｐｓｃｅｌｌ）にも接続し、マッピングリストは、Ｐｃｅｌｌのために設定された測定対象識別ｍｅａｓＯｂｊｅｃｔＩｄのマッピングリスト、レポート設定識別ｒｅｐｏｒｔＣｏｎｆｉｇＩｄのマッピングリストと測定識別ｍｅａｓＩｄのマッピングリスト、及びＰｓｃｅｌｌのために設定された測定対象識別ｍｅａｓＯｂｊｅｃｔＩｄのマッピングリスト、レポート構成識別ｒｅｐｏｒｔＣｏｎｆｉｇＩｄのマッピングリストと測定識別ｍｅａｓＩｄのマッピングリストを含む６つのリストの態様を用いて記憶を実現する。
【００２０】
図１に示すように、本願実施例に係るマルチセルの接続管理方法は、ステップＳ１０１〜ステップＳ１０５を含み、関連技術においてＭＮとＳＮの測定メカニズムが互いに独立していることに起因してＵＥ側より受信した異なる測定の識別が競合する状況を回避することができる。
【００２１】
ステップＳ１０１において、端末は、セルからの測定再設定シグナリングを受信すると、測定再設定シグナリングに携帯された測定パラメータを抽出する。
【００２２】
ステップＳ１０２において、端末ローカル測定設定リストとセルに対応する識別マッピングリストを呼び出し、ローカルの測定設定リストは、ローカルの測定設定パラメータ及びそれに対応するローカル識別を記録するために用いられ、識別マッピングリストは、セルからの測定再設定シグナリングにおけるセル識別と端末が再度割り当てたローカル識別との間の対応関係を記録するために用いられる。
【００２３】
ステップＳ１０３において、端末ローカル測定設定リストと識別マッピングリストに基づいて、測定再設定シグナリングに携帯された測定パラメータを処理する。
【００２４】
ステップＳ１０４において、セルに接続の再設定完了シグナリングを送信する。
【００２５】
ステップＳ１０５において、測定のレポート条件を満たす場合、セル測定識別を使用してセルに測定レポートシグナリングを送信する。
【００２６】
本願のいくつかの実施例において、測定パラメータはセルの削除が必要な測定対象のセル測定対象識別を含む場合、ステップＳ１０３は、
識別マッピングリストにおいて、セル測定対象識別のために再度割り当てられたローカル測定対象識別が存在するか否かを検索することと、
セル測定対象識別のために再度割り当てられたローカル測定対象識別が存在する場合は、ローカル測定対象識別をキー値とし、セル測定対象識別のために再度割り当てられたローカル測定対象識別が存在しない場合は、セル測定対象識別をキー値とすることと、
端末ローカル測定設定リストにおいて、キー値に対応する測定対象を削除することと、を含む。
【００２７】
本願のいくつかの実施例において、測定パラメータはセルの削除が必要な測定対象のセル測定対象識別を含む場合、ステップＳ１０３は、
端末ローカル測定設定リストに基づいて、ローカルに他の測定に関連するローカル測定対象識別がキー値であることが存在するかどうかを検索することと、
他の測定に関連するローカル測定対象識別がキー値であることがローカルに存在する場合、キー値に対応する測定対象を削除しないことと、
他の測定に関連するローカル測定対象識別がキー値であることがローカルに存在しない場合、キー値に対応する測定対象を削除することと、をさらに含む。
【００２８】
本願のいくつかの実施例において、測定パラメータはセルの追加が必要な測定対象のセル測定対象識別を含む場合、ステップＳ１０３は、端末ローカル測定設定リストにおいて、測定パラメータにおける測定対象とローカルに実行している測定の測定対象との間に、測定周波数ポイントの競合、あるいは、測定対象識別の競合が存在するか否かを比較することと、
測定周波数ポイントの競合が存在する場合、ローカルの同じ周波数ポイントの測定対象の識別を用いてセル測定対象識別を置き換え、セル測定対象識別とローカル測定対象識別の対応関係を識別マッピングリストに追加し、２つの測定対象のすべての設定をローカルでマージすることと、
測定対象識別の競合が存在する場合、セル測定対象識別に未使用のローカル測定対象識別を割り当て、セル測定対象識別とローカル測定対象識別の対応関係を識別マッピングリストに追加し、測定対象を端末ローカル測定設定リストに追加することと、を含む。
【００２９】
本願のいくつかの実施例において、測定パラメータはセルの削除が必要なレポート設定のセルレポート設定識別を含む場合、ステップＳ１０３は、
識別マッピングリストにおいて、セルレポート設定識別のために再度割り当てられたローカルレポート設定識別が存在するか否かを検索することと、
セルレポート設定識別のために再度割り当てられたローカルレポート設定識別が存在する場合は、ローカルレポート設定識別をキー値とし、セルレポート設定識別のために再度割り当てられたローカルレポート設定識別が存在しない場合は、セルレポート設定識別をキー値とすることと、
端末ローカル測定設定リストにおいて、キー値に対応するレポート設定を削除することと、を含む。
【００３０】
本願のいくつかの実施例において、測定パラメータはセルの追加が必要なレポート設定のセルレポート設定識別を含む場合、ステップＳ１０３は、端末ローカル測定設定リストにおいて、測定パラメータにおけるレポート設定とローカルに実行している測定のレポート設定との間に、レポート設定識別の競合が存在するか否かを比較することと、
レポート設定識別の競合が存在する場合、セルレポート設定識別に未使用のローカルレポート設定識別を割り当て、セルレポート設定識別とローカルレポート設定識別の対応関係を識別マッピングリストに追加し、レポート設定を端末ローカル測定設定リストに追加することと、を含む。
【００３１】
本願のいくつかの実施例において、測定パラメータはセルの削除が必要な測定のセル測定識別を含む場合、ステップＳ１０３は、識別マッピングリストにおいて、セル測定識別のために再度割り当てられたローカル測定識別が存在するか否かを検索することと、
セル測定識別のために再度割り当てられたローカル測定識別が存在する場合は、ローカル測定識別をインデックスとし、セル測定識別のために再度割り当てられたローカル測定識別が存在しない場合は、セル測定識別をインデックスとすることと、
端末ローカル測定設定リストにおいて、インデックスに対応する関連する測定対象識別と測定設定識別の組み合わせを削除することと、を含む。
【００３２】
本願のいくつかの実施例において、測定パラメータはセルの追加が必要な測定のセル測定識別を含む場合、ステップＳ１０３は、端末ローカル測定設定リストにおいて、測定パラメータにおける測定とローカルに実行している測定の測定との間に、測定識別の競合が存在するか否かを比較し、あるいは、測定パラメータにおける測定識別に関連する測定対象識別とレポート設定識別の組み合わせとローカルに実行している測定の測定識別に関連する測定対象識別とレポート設定識別の組み合わせが同じであるか否かを比較することと、
測定識別の競合、あるいは、組み合わせの一致が存在する場合、セル測定識別に未使用のローカル測定識別を割り当て、セル測定識別とローカル測定識別の対応関係を識別マッピングリストに追加することと、
セル測定識別に関連するセル測定対象識別とセルレポート設定識別の再度割り当てが存在する場合、それぞれ再度割り当てたローカル測定対象識別とローカルレポート設定識別を使用して関連する置き換えを行い、測定を端末ローカル測定設定リストに追加することと、を含む。
本願のいくつかの実施例において、ステップＳ１０５は、ローカル測定を実行し、測定レポートを生成することと、
識別マッピングリストにおいて、ローカル測定識別に対応するセル測定識別を検索することと、セル測定識別を測定レポートに追加し、対応するセルに送信することと、を含む。
【００３３】
本願のいくつかの実施例において、図１に示すマルチ基地局接続管理方法は、測定パラメータにおける測定識別、レポート設定識別、及び測定対象識別のいずれかの識別が識別リストと競合する場合、ローカルの残りの識別リソースが存在するか否かを判断することと、
ローカルの残りの識別リソースが存在する場合、競合する識別にローカルの識別を割り当てることと、
ローカルの残りの識別リソースが存在しない場合、セルに測定再設定の無効シグナリングを送信することと、をさらに含む。
【００３４】
図２に示すように、本実施例に係るマルチ基地局接続管理装置２は、
セルからの測定再設定シグナリングを受信すると、測定再設定シグナリングに携帯された測定パラメータを抽出するように設定される抽出モジュール２１と、
端末ローカル測定設定リストとセルに対応する識別マッピングリストを呼び出し、ローカルの測定設定リストは、ローカルの測定設定パラメータ及びそれに対応するローカル識別を記録するために用いられ、識別マッピングリストは、セルからの測定再設定シグナリングにおけるセル識別と端末が再度割り当てたローカル識別との間の対応関係を記録するために用いられるように設定される呼び出しモジュール２２と、
端末ローカル測定設定リストと識別マッピングリストに基づいて、測定再設定シグナリングに携帯された測定パラメータを処理するように設定される処理モジュール２３と、
セルに接続の再設定完了シグナリングを送信するように設定されるフィードバックモジュール２４と、
測定のレポート条件を満たす場合、セル測定識別を使用してセルに測定レポートシグナリングを送信するように設定されるレポートモジュール２５とを含む。
【００３５】
図３に示すように、本願実施例は、プロセッサー３１、メモリ３２、及び通信バス３３を含むユーザー端末であって、
通信バス３３は、プロセッサー３１とメモリ３２との間の接続通信を実現するように設定され、
プロセッサー３１はメモリ３２に記憶されている少なくとも１つのプログラムを実行し、本願のいずれかの実施例に係るマルチ基地局接続管理方法を実現するように設定される、ユーザー端末を提供する。
【００３６】
ここで、実例に合わせて、本願について解釈して説明する。
【００３７】
本実施例において、ネットワークコンバージェンスが４Ｇロングタームエボリューション（Ｌｏｎｇ  Ｔｅｒｍ  Ｅｖｏｌｕｔｉｏｎ、ＬＴＥ）と５Ｇのニューラジオアクセス技術（Ｎｅｗ  Ｒａｄｉｏ  Ａｃｃｅｓｓ  Ｔｅｃｈｎｏｌｏｇｙ、ＮＲ）とが互いに融合するシーンを例として説明する。
【００３８】
純粋な４Ｇネットワークまたは５Ｇネットワークのシナリオでは、４Ｇ  ＬＴＥ基地局（Ｅｖｏｌｖｅｄ  ＮｏｄｅＢ、ｅＮｏｄｅＢ）または５Ｇ  ＮＲ基地局（ｇＮｏｄｅＢ）は、無線リソース制御（Ｒａｄｉｏ  Ｒｅｓｏｕｒｃｅ  Ｃｏｎｔｒｏｌ，ＲＲＣ）の接続再設定シグナリングでＲＲＣ接続状態のユーザー端末（Ｕｓｅｒ  Ｅｑｕｉｐｍｅｎｔ、ＵＥ）にレポート設定を行い、ＵＥは、これらのレポート設定に基づいて、エアインターフェースの測定を行い、測定結果を基地局にレポートする。３ＧＰＰ  ３６．３３１プロトコルは、各ｍｅａｓＯｂｊｅｃｔＩｄ、ｒｅｐｏｒｔＣｏｎｆｉｇＩｄ、及びｍｅａｓＩｄは再利用できないリソースであると定義されている。すなわち、ＵＥに送信する測定では重複したｍｅａｓＯｂｊｅｃｔＩｄ、ｒｅｐｏｒｔＣｏｎｆｉｇＩｄ、及びｍｅａｓｉｄが出現してはならない。これ以外、プロトコルはさらに、異なるｍｅａｓＯｂｊｅｃｔＩｄまたはｍｅａｓＩｄが対応する内容も重複してはならないと規定している。基地局からＵＥに送信した測定に重複したｍｅａｓＯｂｊｅｃｔＩｄ、ｒｅｐｏｒｔＣｏｎｆｉｇＩｄ、及びｍｅａｓｉｄが出現した、または、異なるｍｅａｓＯｂｊｅｃｔＩｄまたはｍｅａｓＩｄが対応する内容が重複した場合、ＵＥの再確立などの異常な挙動を引き起こす可能性がある。同時に、Ｒ１２プロトコルは、３つのｉｄ値の範囲がいずれも１〜６４であると定義した。
【００３９】
３ＧＰＰ  ３７．３４０で説明されたｏｐｔｉｏｎ３／３Ａ／３Ｘ、ｏｐｔｉｏｎ４及びｏｐｔｉｏｎ７／７Ａ／７Ｘアーキテクチャのマルチ接続技術を４Ｇと５Ｇネットワークコンバージェンスソリューションとしてのシナリオにおいて、ＭＮ基地局とＳＮ基地局の間にネゴシエーションパスがないため、独立した測定メカニズムは、ＵＥ側に、異なる測定のｍｅａｓＯｂｊｅｃｔＩｄ、ｒｅｐｏｒｔＣｏｎｆｉｇＩｄ、及びｍｅａｓＩｄの競合と、異なる測定識別の内容の重複との状況をもたらす可能性があり、再確立などのＵＥの異常な動作を引き起こす可能性がある。
【００４０】
本実施例は、そのうちのローカルのマッピングリスト及び識別テーブルに関し、該識別テーブルとマッピングリストに基づいて、４Ｇと５Ｇネットワークコンバージェンスの段階において、マルチ接続技術の異なるＲＲＣ接続エンティティの間で関連するＩｄリソースがＵＥ側で競合する状況を回避した。該ソリューションは、基地局側には何の影響も与えず、異なる局の間のＸ２ポートのメッセージのインタラクションを増加させる必要がなく、ＵＥ側については実際には１セットの測定リストのみを測定し、異なる仕様のシステム間の重複測定を回避し、実現態様は簡単で効率的である。
【００４１】
本実施例において、端末ローカル測定設定リストは、ｍｅａｓＯｂｊｅｃｔＬｉｓｔ、ｒｅｐｏｒｔＣｏｎｆｉｇＬｉｓｔ、及びＭｅａｓＩｄＬｉｓｔを含む。
【００４２】
本実施例に係るネットワークは、図４に示すように、ＵＥは、ＭＮから提供されるＰｃｅｌｌにアクセスすると同時に、ＳＮから提供されるＰｓｃｅｌｌにもアクセスする。
【００４３】
図５に示すように、本実施例に係る方法は、ステップＳ５０１〜ステップＳ５０８を含む。
【００４４】
ステップＳ５０１において、ＵＥは、それぞれＰｃｅｌｌとＰｓｃｅｌｌのために識別マッピングリストを設定する。
【００４５】
ＵＥは、まずＭＮに係るＰｃｅｌｌに接続し、次にＳＮに係るＰｓｃｅｌｌにアクセスし、Ｐｓｃｅｌｌにアクセスした後、ＵＥはローカル（端末の内部）でＰｃｅｌｌとＰｓｃｅｌｌのために識別マッピングリストをメンテナンスし、識別マッピングリストは、ＭＮとＳＮの２つの異なるＲＲＣ接続エンティティから対応するセルによって送信されたＩｄリソースと、ＵＥによって再度割り当てられたＩｄリソースとの間のマッピング関係の記録に用いられるものであり、Ｐｃｅｌｌのために設定された測定対象識別ｍｅａｓＯｂｊｅｃｔＩｄのマッピングリスト、レポート設定識別ｒｅｐｏｒｔＣｏｎｆｉｇＩｄのマッピングリストと測定識別ｍｅａｓＩｄのマッピングリスト、及びＰｓｃｅｌｌのために設定された測定対象識別ｍｅａｓＯｂｊｅｃｔＩｄのマッピングリスト、レポート構成識別ｒｅｐｏｒｔＣｏｎｆｉｇＩｄのマッピングリストと測定識別ｍｅａｓＩｄのマッピングリストを含む。
【００４６】
ステップＳ５０２において、ＵＥは、測定対象を削除する。
【００４７】
ＵＥは、いずれかのＲＲＣ接続エンティティ（ＭＮまたはＳＮ）の測定再設定シグナリングを受信し、再設定シグナリングに測定対象削除リストｍｅａｓＯｂｊｅｃｔＴｏＲｅｍｏｖｅＬｉｓｔの情報要素が存在する場合、対応するＲＲＣ接続エンティティのｍｅａｓＯｂｊｅｃｔＩｄのマッピングリストにおいてそれに対応する再度割り当てられたｍｅａｓＯｂｊｅｃｔＩｄが存在するか否かを検索する。
【００４８】
対象削除リストｍｅａｓＯｂｊｅｃｔＴｏＲｅｍｏｖｅＬｉｓｔの情報要素に対応する再度割り当てられたｍｅａｓＯｂｊｅｃｔｉＩｄが存在する場合、再度割り当てられたｍｅａｓＯｂｊｅｃｔＩｄ（すなわち、ローカルのｍｅａｓＯｂｊｅｃｔＩｄ、以下は同様であり、繰り返し説明しない）を使用してキー値とし、対象削除リストｍｅａｓＯｂｊｅｃｔＴｏＲｅｍｏｖｅＬｉｓｔの情報要素に対応する再度割り当てられたｍｅａｓＯｂｊｅｃｔｉＩｄが存在しない場合、シグナリングの元のｍｅａｓＯｂｊｅｃｔＩｄ（すなわち、セルのｍｅａｓＯｂｊｅｃｔＩｄ、以下は同様であり、繰り返し説明しない）をキー値とし、ローカルのｍｅａｓＩｄＬｉｓｔにおいて他の測定に関連するｍｅａｓＯｂｊｅｃｔＩｄが該キー値であることが存在するかどうかを照会する。
【００４９】
ローカルのｍｅａｓＩｄＬｉｓｔに他の測定に関連するｍｅａｓＯｂｊｅｃｔＩｄが該キー値であることが存在する場合、今回は該測定対象を削除せず、ローカルのｍｅａｓｉｄＬｉｓｔに他の測定に関連するｍｅａｓＯｂｊｅｃｔＩｄが該キー値であることが存在しない場合、ローカルの測定対象リスト（ｍｅａｓＯｂｊｅｃｔＬｉｓｔ）においてｍｅａｓＯｂｊｅｃｔＩｄがキー値と同じである測定対象を照会し、該測定対象を削除する。
【００５０】
ステップＳ５０３において、ＵＥは、測定対象を追加する。
【００５１】
測定再設定シグナリングに測定対象追加リストｍｅａｓＯｂｊｅｃｔＴｏＡｄｄＭｏｄＬｉｓｔが存在する場合、まず、ｍｅａｓＯｂｊｅｃｔＴｏＡｄｄＭｏｄＬｉｓｔの情報要素とローカルのｍｅａｓＯｂｊｅｃｔＬｉｓｔの測定対象が測定周波数ポイントまたはｍｅａｓＯｂｊｅｃｔＩｄにおいて競合する状況が存在するか否かを比較する。
【００５２】
測定周波数ポイントの競合が存在する場合、該測定対象のｍｅａｓＯｂｊｅｃｔＩｄを、すでにｍｅａｓＯｂｊｅｃｔＬｉｓｔに存在する同じ周波数ポイントの測定対象のｍｅａｓＯｂｊｅｃｔＩｄに置き換え、測定対象の各項目の設定をマージする。
【００５３】
ｍｅａｓＯｂｊｅｃｔＩｄの競合が存在する場合、ローカルで未だ使用されていない１つのｍｅａｓＯｂｊｅｃｔＩｄを該測定対象に割り当てる。元のｍｅａｓＯｂｊｅｃｔＩｄと再度割り当てられたｍｅａｓＯｂｊｅｃｔＩｄとの対応関係を対応するＲＲＣ接続エンティティのｍｅａｓＯｂｊｅｃｔＩｄのマッピングリストに記録する。
【００５４】
ＵＥは、測定対象をローカルのｍｅａｓＯｂｊｅｃｔＬｉｓｔに追加する。
【００５５】
ステップＳ５０４において、ＵＥは、レポート設定を削除する。
【００５６】
測定再設定シグナリングにレポート設定削除リストｒｅｐｏｒｔＣｏｎｆｉｇＴｏＲｅｍｏｖｅＬｉｓｔが存在する場合、対応するＲＲＣ接続エンティティのｒｅｐｏｒｔＣｏｎｆｉｇＩｄのマッピングリストにおいてそれに対応する再度割り当てられたｒｅｐｏｒｔＣｏｎｆｉｇＩｄが存在するか否かを検索する。
【００５７】
対応するＲＲＣ接続エンティティのｒｅｐｏｒｔＣｏｎｆｉｇＩｄのマッピングリストにおいて、レポート設定削除リストｒｅｐｏｒｔＣｏｎｆｉｇＴｏＲｅｍｏｖｅＬｉｓｔが対応する再度割り当てられたｒｅｐｏｒｔＣｏｎｆｉｇＩｄが存在する場合、再度割り当てられたｒｅｐｏｒｔＣｏｎｆｉｇＩｄをキー値とし、対応するＲＲＣ接続エンティティのｒｅｐｏｒｔＣｏｎｆｉｇＩｄのマッピングリストにおいて、レポート設定削除リストｒｅｐｏｒｔＣｏｎｆｉｇＴｏＲｅｍｏｖｅＬｉｓｔが対応する再度割り当てられたｒｅｐｏｒｔＣｏｎｆｉｇＩｄが存在しない場合、シグナリングの元のｒｅｐｏｒｔＣｏｎｆｉｇＩｄをキー値とし、ローカルの測定Ｉｄリスト（ｍｅａｓＩｄＬｉｓｔ）において他の測定に関連するｒｅｐｏｒｔＣｏｎｆｉｇＩｄが該キー値であることが存在するかどうかを照会する。
【００５８】
ローカルの測定Ｉｄリスト（ｍｅａｓＩｄＬｉｓｔ）に他の測定に関連するｒｅｐｏｒｔＣｏｎｆｉｇＩｄが該キー値であることが存在する場合、今回は該レポート設定を削除しない。ローカルの測定Ｉｄリスト（ｍｅａｓＩｄＬｉｓｔ）に他の測定に関連するｒｅｐｏｒｔＣｏｎｆｉｇＩｄが該キー値であることが存在しない場合、ローカルのｒｅｐｏｒｔＣｏｎｆｉｇＬｉｓｔにおいてｒｅｐｏｒｔＣｏｆｉｇＩｄがキー値と同じであるレポート設定を照会し、対応するレポート設定を削除する。
【００５９】
ステップＳ５０５において、ＵＥは、レポート設定を追加する。
【００６０】
測定再設定シグナリングにレポート設定追加リストｒｅｐｏｒｔＣｏｎｆｉｇＴｏＡｄｄＭｏｄＬｉｓｔが存在する場合、ＵＥは、ｒｅｐｏｒｔＣｏｎｆｉｇＴｏＡｄｄＭｏｄＬｉｓｔの情報要素とローカルのｒｅｐｏｒｔＣｏｎｆｉｇＬｉｓｔのレポート設定がｒｅｐｏｒｔＣｏｎｆｉｇＩｄにおいて競合する状況が存在するか否かを比較する。
【００６１】
ｒｅｐｏｒｔＣｏｎｆｉｇＩｄの競合が存在する場合、ローカルで未だ使用されていない１つのｒｅｐｏｒｔＣｏｎｆｉｇＩｄを該レポート設定に割り当て、元のｒｅｐｏｒｔＣｏｎｆｉｇＩｄと再度割り当てられたｒｅｐｏｒｔＣｏｎｆｉｇＩｄとの対応関係を対応するＲＲＣ接続エンティティのｒｅｐｏｒｔＣｏｎｆｉｇＩｄのマッピングリストに記録する。
【００６２】
レポート設定をローカルのｒｅｐｏｒｔＣｏｎｆｉｇＬｉｓｔに追加する。
【００６３】
ステップＳ５０６において、ＵＥは、測定を削除する。
【００６４】
測定再設定シグナリングに測定Ｉｄ削除リストｍｅａｓＩｄＴｏＲｅｍｏｖｅＬｉｓｔが存在する場合、対応するＲＲＣ接続エンティティのｍｅａｓＩｄのマッピングリストにおいてそれに対応する再度割り当てられたｍｅａｓＩｄが存在するか否かを検索する。
【００６５】
対応するＲＲＣ接続エンティティのｍｅａｓＩｄのマッピングリストに、測定Ｉｄ削除リストｍｅａｓＩｄＴｏＲｅｍｏｖｅＬｉｓｔに対応する再度割り当てられたｍｅａｓＩｄが存在する場合、ローカルの測定Ｉｄリスト（ｍｅａｓＩｄＬｉｓｔ）から、再度割り当てられたｍｅａｓＩｄに対応するレコードを削除する。
【００６６】
対応するＲＲＣ接続エンティティのｍｅａｓＩｄのマッピングリストに、測定Ｉｄ削除リストｍｅａｓＩｄＴｏＲｅｍｏｖｅＬｉｓｔに対応する再度割り当てられたｍｅａｓＩｄが存在しない場合、ローカルの測定Ｉｄリスト（ｍｅａｓＩｄＬｉｓｔ）から、元のｍｅａｓＩｄに対応するレコードとその中に関連するｒｅｐｏｒｔＣｏｎｆｉｇＩｄがキー値となるｒｅｐｏｒｔＣｏｎｆｉｇＬｉｓｔのレポート設定を削除する。
【００６７】
ステップＳ５０７において、ＵＥは、測定を追加する。
【００６８】
測定再設定シグナリングに測定Ｉｄ追加リストｍｅａｓＩｄＴｏＡｄｄＭｏｄＬｉｓｔが存在する場合、ＵＥは、ｍｅａｓＩｄＴｏＡｄｄＭｏｄＬｉｓｔの情報要素とローカルのｍｅａｓＩｄＬｉｓｔのｍｅａｓＩｄが競合する状況が存在するか否かを比較し、あるいは、ＵＥは、ｍｅａｓＩｄＴｏＡｄｄＭｏｄＬｉｓｔの情報要素において、今回追加するｍｅａｓＩｄに関連するｍｅａｓＯｂｊｅｃｔＩｄとｒｅｐｏｒｔＣｏｎｆｉｇＩｄの組み合わせが、ローカルのｍｅａｓＩｄＬｉｓｔに既有したｍｅａｓＩｄに関連する組み合わせとまったく同じであるか否かを比較する。
【００６９】
ｍｅａｓＩｄＴｏＡｄｄＭｏｄＬｉｓｔの情報要素とローカルのｍｅａｓＩｄＬｉｓｔのｍｅａｓＩｄの競合が存在する場合、あるいは、ｍｅａｓＩｄＴｏＡｄｄＭｏｄＬｉｓｔの情報要素において、今回追加するｍｅａｓＩｄに関連するｍｅａｓＯｂｊｅｃｔＩｄとｒｅｐｏｒｔＣｏｎｆｉｇＩｄの組み合わせが、ローカルのｍｅａｓＩｄＬｉｓｔに既有したｍｅａｓＩｄに関連する組み合わせとまったく同じである場合、ローカルで未だ使用されていない１つのｍｅａｓＩｄを該測定に割り当てる。元のｍｅａｓＩｄと再度割り当てられたｍｅａｓＩｄとの対応関係を対応するＲＲＣ接続エンティティのｍｅａｓＩｄのマッピングリストに記録する。
【００７０】
該ｍｅａｓｉｄに関連するｍｅａｓＯｂｊｅｃｔＩｄとｒｅｐｏｒｔＣｏｎｆｉｇＩｄが再度割り当てられた状況が存在する場合、ＵＥが再度割り当てたｍｅａｓＯｂｊｅｃｔｉＩｄとｒｅｐｏｒｔＣｏｎｆｉｇＩｄを使用して置き換えを行う。ＵＥは、ｍｅａｓＩｄ情報をローカルのｍｅａｓＩｄＬｉｓｔに追加する。
【００７１】
ステップＳ５０８において、ＵＥは、測定レポートをレポートする。
【００７２】
エアインターフェースが測定条件を満たす場合、ＵＥは、測定レポートを対応するＲＲＣ接続エンティティに送信する。ｍｅａｓＩｄＬｉｓｔの該測定に対応するｍｅａｓＩｄを使用して対応するＲＲＣ接続エンティティのｍｅａｓＩｄのマッピングリストにおいて再度割り当てられたｍｅａｓＩｄであるか否かを検索する。
【００７３】
測定前にＵＥによって再度割り当てられたｍｅａｓＩｄである場合、マッピングリストにおいて対応する元のｍｅａｓＩｄを、ｍｅａｓｕｒｅｍｅｎｔＲｅｐｏｒｔシグナリングのｍｅａｓＩｄ情報要素に記入し、対応するＲＲＣ接続エンティティに送信する。
【００７４】
次に、本実施例を５つのシナリオに結び付けて説明する。
【００７５】
シナリオ１において、異なるＲＲＣ接続エンティティが送信した測定再設定シグナリングの測定対象Ｉｄが競合する場合、図６に示すように、ステップＳ６０１〜ステップＳ６０９を含む。
【００７６】
ステップＳ６０１において、Ｐｃｅｌｌは、測定１を追加するシグナリングをＵＥに送信する。
【００７７】
ＵＥがＰｃｅｌｌに接続した後、Ｐｃｅｌｌは測定再設定シグナリング（送信態様は多種多様であり、以下は同様であり、繰り返し説明しない）によってＵＥに測定ｍｅａｓＩｄが１である測定を送信し、その測定はｍｅａｓＯｂｊｅｃｔＩｄが１である測定対象とｒｅｐｏｒｔＣｏｎｆｉｇＩｄが１であるレポート設定に関連する。ｍｅａｓＯｂｊｅｃｔＩｄが１である測定対象の周波数ポイントはｆ１である。
【００７８】
ステップＳ６０２において、ＵＥは、測定１を追加する。
【００７９】
ＵＥは、測定再設定シグナリングを受信した後、測定対象及び識別、レポート設定及び識別と測定識別などの情報をそれぞれｍｅａｓＯｂｊｅｃｔＬｉｓｔ、ｒｅｐｏｒｔＣｏｎｆｉｇＬｉｓｔとＭｅａｓＩｄＬｉｓｔに記憶する。
【００８０】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含む。
【００８１】
ステップＳ６０３において、ＵＥは、Ｐｃｅｌｌに再設定完了シグナリングを送信する。
【００８２】
ＵＥは、ＰｃｅｌｌにＲＲＣ接続の再設定完了シグナリングを送信し、測定の追加が完了したことを通知する。
【００８３】
ステップＳ６０４において、Ｐｓｃｅｌｌは、測定２を追加するシグナリングをＵＥに送信する。
【００８４】
ＳＮ追加が成功した後、ＰｓｃｅｌｌはＵＥに測定ＭｅａｓＩｄが２である測定を送信し、その測定はｍｅａｓＯｂｊｅｃｔＩｄが１である測定対象とｒｅｐｏｒｔＣｏｎｆｉｇＩｄが２であるレポート設定に関連する。ｍｅａｓＯｂｊｅｃｔＩｄが１である測定対象の周波数ポイントはｆ２である。
【００８５】
ステップＳ６０５において、ＵＥは、測定２を追加する。
【００８６】
ＵＥはＰｓｃｅｌｌの測定再設定シグナリングを受信した後、ｍｅａｓＯｂｊｅｃｔＴｏＡｄｄＭｏｄＬｉｓｔの情報要素の測定対象をローカルのｍｅａｓＯｂｊｅｃｔＬｉｓｔの測定対象と比較し、ローカルの測定周波数ポイントｆ１のｍｅａｓＯｂｊｅｃｔＩｄと、情報要素の測定周波数ポイントｆ２のｍｅａｓＯｂｊｅｃｔＩｄはいずれも１であり、１つの測定対象を一意に表すことができないことを見出した。ＵＥは、１つ目のローカルで未だ使用されていないＩｄ値２を、ｍｅａｓＯｂｊｅｃｔＩｄのプロトコル値の範囲内で順番に捜索して見つける。元のｍｅａｓＯｂｊｅｃｔＩｄ  １と再度割り当てられたｍｅａｓＯｂｊｅｃｔＩｄ  ２との対応関係をＰｓｃｅｌｌのＲＲＣ接続エンティティのｍｅａｓＯｂｊｅｃｔＩｄのマッピングリストに記録する。測定対象のｍｅａｓＯｂｊｅｃｔＩｄを１から２に変更し、ｍｅａｓＯｂｊｅｃｔＬｉｓｔに追加する。元のｍｅａｓＯｂｊｅｃｔＩｄ  １と再度割り当てられたｍｅａｓＯｂｊｅｃｔＩｄ  ２との対応関係をＰｓｃｅｌｌのＲＲＣ接続エンティティのｍｅａｓＯｂｊｅｃｔＩｄのマッピングリストに記録する。
【００８７】
ＵＥは、ｒｅｐｏｒｔＣｏｎｆｉｇＴｏＡｄｄＭｏｄＬｉｓｔの情報要素のレポート設定をローカルのｒｅｐｏｒｔＣｏｎｆｉｇＬｉｓｔのｒｅｐｏｒｔＣｏｎｆｉｇＩｄと比較し、競合がないことを確認し、ｒｅｐｏｒｔＣｏｎｆｉｇＩｄが２であるレポート設定をｒｅｐｏｒｔＣｏｎｆｉｇＬｉｓｔに追加する。
【００８８】
ＵＥは、ｍｅａｓＩｄＴｏＡｄｄＭｏｄＬｉｓｔのｍｅａｓＩｄＴｏＡｄｄＭｏｄの情報要素に関連するｍｅａｓＯｂｊｅｃｔＩｄを１から再度割り当てられた２に置き換え、ｒｅｐｏｒｔＣｏｎｆｉｇＩｄとｍｅａｓＩｄは変更せず、ｍｅａｓＩｄＬｉｓｔに記憶する。
【００８９】
この時、ｍｅａｓＯｂｊｅｃｔＬｉｓｔは、ｍｅａｓＯｂｊｅｃｔＩｄ１：周波数ポイント１とｍｅａｓＯｂｊｅｃｔＩｄ２：周波数ポイン２を含み、ｒｅｐｏｒｔＣｏｎｆｉｇＬｉｓｔは、ｒｅｐｏｒｔＣｏｎｆｉｇＩｄ１とｒｅｐｏｒｔＣｏｎｆｉｇＩｄ２を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせと、Ｍｅａｓｉｄ２に関連するｍｅａｓＯｂｊｅｃｔＩｄ２、ｒｅｐｏｒｔＣｏｎｆｉｇＩｄ２の測定識別組み合わせを含み、ＰｓｃｅｌｌのｍｅａｓＯｂｊｅｃｔＩｄのマッピングリストはＰｓｃｅｌｌの識別１とローカルの識別２の対応関係を含む。
【００９０】
ステップＳ６０６において、ＵＥは、Ｐｓｃｅｌｌに再設定完了シグナリングを送信する。
【００９１】
ＵＥは、ＰｓｃｅｌｌにＲＲＣ接続の再設定完了シグナリングを送信し、測定の追加が完了したことを通知する。
【００９２】
ステップＳ６０７において、Ｐｓｃｅｌｌは、測定２を削除するシグナリングをＵＥに送信する。
【００９３】
Ｐｓｃｅｌｌは、ＲＲＣ接続の再設定シグナリングをＵＥに送信し、ｍｅａｓＩｄが２である測定を削除する。
【００９４】
ステップＳ６０８において、ＵＥは、測定２を削除する。
【００９５】
ＵＥは、Ｐｓｃｅｌｌの測定再設定シグナリングを受信した後、ｍｅａｓＯｂｊｅｃｔＴｏＲｅｍｏｖｅＬｉｓｔシグナリングの元のｍｅａｓＯｂｊｅｃｔＩｄ値１を用いて、Ｐｓｃｅｌｌに対応するＲＲＣ接続エンティティのｍｅａｓＯｂｊｅｃｔＩｄマッピングリストにおいて対応するＵＥによって再度割り当てられたｍｅａｓＯｂｊｅｃｔＩｄ値２を検索して見つける。ローカルの測定ＩｄリストｍｅａｓＩｄＬｉｓｔにおいて他の測定に関連するｍｅａｓＯｂｊｅｃｔＩｄ値は２であることがないことを照会した。ローカルのｍｅａｓＯｂｊｅｃｔＬｉｓｔからｍｅａｓＯｂｊｅｃｔＩｄが２である測定対象を削除する。元のｍｅａｓＯｂｊｅｃｔＩｄ  １と再度割り当てられたｍｅａｓＯｂｊｅｃｔＩｄ  ２との対応関係をＰｓｃｅｌｌのＲＲＣ接続エンティティのｍｅａｓＯｂｊｅｃｔＩｄのマッピングリストから削除する。
【００９６】
ＵＥは、ｒｅｐｏｒｔＣｏｎｆｉｇＴｏＲｅｍｏｖｅＬｉｓｔのシグナリングの元のｒｅｐｏｒｔＣｏｎｆｉｇＩｄ値２を用いて、Ｐｓｃｅｌｌに対応するＲＲＣ接続エンティティのｒｅｐｏｒｔＣｏｎｆｉｇＩｄのマッピングリストにおいて同じ元のｒｅｐｏｒｔＣｏｎｆｉｇＩｄにマッチするものはないことを確認した。ローカルの測定ＩｄリストｍｅａｓＩｄＬｉｓｔにおいて他の測定に関連するｒｅｐｏｒｔＣｏｎｆｉｇＩｄ値は２であることがないことを照会した。ローカルのｒｅｐｏｒｔＣｏｎｆｉｇＬｉｓｔからｒｅｐｏｒｔＣｏｎｆｉｇＩｄが２であるレポート設定を削除する。
【００９７】
ＵＥは、ｍｅａｓＩｄＴｏＲｅｍｏｖｅＬｉｓｔのシグナリングの元のｍｅａｓＩｄ値２を用いて、Ｐｓｃｅｌｌに対応するＲＲＣ接続エンティティのｍｅａｓＩｄのマッピングリストにおいて同じ元のｍｅａｓＩｄにマッチするものはないことを確認した。ローカルのｍｅａｓＩｄＬｉｓｔからｍｅａｓＩｄが２である測定項目を削除する。
【００９８】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含み、ＰｓｃｅｌｌのｍｅａｓＯｂｊｅｃｔＩｄのマッピングリストは空である。
【００９９】
ステップＳ６０９において、ＵＥは、Ｐｓｃｅｌｌに再設定完了シグナリングを送信する。
【０１００】
ＵＥは、ＰｓｃｅｌｌにＲＲＣ接続の再設定完了シグナリングを送信し、測定の削除が完了したことを通知する。
【０１０１】
シナリオ２において、異なるＲＲＣ接続エンティティが送信した測定再設定シグナリングの測定周波数ポイントが競合する場合、図７に示すように、ステップＳ７０１〜ステップＳ７０９を含む。
【０１０２】
ステップＳ７０１において、Ｐｃｅｌｌは、測定１を追加するシグナリングをＵＥに送信する。
【０１０３】
ＵＥがＰｃｅｌｌに接続した後、ＰｃｅｌｌはＵＥに測定ｍｅａｓＩｄが１である測定を送信し、その測定はｍｅａｓＯｂｊｅｃｔＩｄが１である測定対象とｒｅｐｏｒｔＣｏｎｆｉｇＩｄが１であるレポート設定に関連する。ｍｅａｓＯｂｊｅｃｔＩｄが１である測定対象の周波数ポイントはｆ１である。
【０１０４】
ステップＳ７０２において、ＵＥは、測定１を追加する。
【０１０５】
ＵＥは、測定再設定シグナリングを受信した後、測定対象、レポート設定と測定Ｉｄの情報をそれぞれｍｅａｓＯｂｊｅｃｔＬｉｓｔ、ｒｅｐｏｒｔＣｏｎｆｉｇＬｉｓｔとＭｅａｓＩｄＬｉｓｔに記憶する。
【０１０６】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含む。
【０１０７】
ステップＳ７０３において、ＵＥは、Ｐｃｅｌｌに再設定完了シグナリングを送信する。
【０１０８】
ＵＥは、ＰｃｅｌｌにＲＲＣ接続の再設定完了シグナリングを送信し、測定の追加が完了したことを通知する。
【０１０９】
ステップＳ７０４において、Ｐｓｃｅｌｌは、測定２を追加するシグナリングをＵＥに送信する。
【０１１０】
ＳＮ追加が成功した後、ＰｓｃｅｌｌはＵＥに測定ｍｅａｓＩｄが２である測定を送信し、その測定はｍｅａｓＯｂｊｅｃｔＩｄが２である測定対象とｒｅｐｏｒｔＣｏｎｆｉｇＩｄが２であるレポート設定に関連する。ｍｅａｓＯｂｊｅｃｔＩｄが２である測定対象の周波数ポイントもｆ１である。
【０１１１】
ステップＳ７０５において、ＵＥは、測定２を追加する。
【０１１２】
ＵＥはＰｓｃｅｌｌの測定再設定シグナリングを受信した後、ｍｅａｓＯｂｊｅｃｔＴｏＡｄｄＭｏｄＬｉｓｔの情報要素の測定対象をローカルのｍｅａｓＯｂｊｅｃｔＬｉｓｔの測定対象と比較し、ローカルのｍｅａｓＯｂｊｅｃｔＩｄが１である測定対象と情報要素のｍｅａｓＯｂｊｅｃｔＩｄが２である測定対象の測定周波数ポイントはいずれもｆ１であることを見出し、プロトコル規定に違反する。
【０１１３】
ＵＥは今回の測定対象をｍｅａｓＯｂｊｅｃｔＬｉｓｔに追加せず、今回の測定はローカルのｍｅａｓＯｂｊｅｃｔＩｄが１である測定対象を使用する。
【０１１４】
元のｍｅａｓＯｂｊｅｃｔＩｄ  ２と再度割り当てられたｍｅａｓＯｂｊｅｃｔＩｄ  １との対応関係をＰｓｃｅｌｌのＲＲＣ接続エンティティのｍｅａｓＯｂｊｅｃｔＩｄのマッピングリストに記録する。
【０１１５】
ＵＥは、ｒｅｐｏｒｔＣｏｎｆｉｇＴｏＡｄｄＭｏｄＬｉｓｔの情報要素のｒｅｐｏｒｔＣｏｎｆｉｇＩｄが２であるレポート設定をｒｅｐｏｒｔＣｏｎｆｉｇＬｉｓｔに追加する。
【０１１６】
ＵＥは、ｍｅａｓＩｄＴｏＡｄｄＭｏｄＬｉｓｔのｍｅａｓＩｄＴｏＡｄｄＭｏｄの情報要素のｍｅａｓＯｂｊｅｃｔＩｄを２から１に置き換え、ｒｅｐｏｒｔＣｏｎｆｉｇＩｄとｍｅａｓＩｄは変更せず、ｍｅａｓＩｄＬｉｓｔに記憶する。
【０１１７】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１とｒｅｐｏｒｔＣｏｎｆｉｇＩｄ２を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせと、Ｍｅａｓｉｄ２に関連するｍｅａｓＯｂｊｅｃｔＩｄ１、ｒｅｐｏｒｔＣｏｎｆｉｇＩｄ２の測定識別組み合わせを含み、ＰｓｃｅｌｌのｍｅａｓＯｂｊｅｃｔＩｄのマッピングリストはＰｓｃｅｌｌの識別１とローカルの識別２の対応関係を含む。
【０１１８】
ステップＳ７０６において、ＵＥは、Ｐｓｃｅｌｌに再設定完了シグナリングを送信する。
【０１１９】
ＵＥは、ＰｓｃｅｌｌにＲＲＣ接続の再設定完了シグナリングを送信し、測定の追加が完了したことを通知する。
【０１２０】
ステップＳ７０７において、Ｐｓｃｅｌｌは、測定２を削除するシグナリングをＵＥに送信する。
【０１２１】
Ｐｓｃｅｌｌは、ＲＲＣ接続の再設定シグナリングをＵＥに送信し、ｍｅａｓＩｄが２である測定を削除する。
【０１２２】
ステップＳ７０８において、ＵＥは、測定２を削除する。
【０１２３】
ＵＥは、Ｐｓｃｅｌｌの測定再設定シグナリングを受信した後、ｍｅａｓＯｂｊｅｃｔＴｏＲｅｍｏｖｅＬｉｓｔシグナリングの元のｍｅａｓＯｂｊｅｃｔＩｄ値２を用いて、Ｐｓｃｅｌｌに対応するＲＲＣ接続エンティティのｍｅａｓＯｂｊｅｃｔＩｄマッピングリストにおいて対応するＵＥによって再度割り当てられたｍｅａｓＯｂｊｅｃｔＩｄ値１を検索して見つける。ローカルの測定ＩｄリストｍｅａｓＩｄＬｉｓｔにおいてＭｅａｓＩｄが１である測定に関連する値ｍｅａｓＯｂｊｅｃｔＩｄ１が依然として存在することを照会した。ローカルｍｅａｓＯｂｊｅｃｔＬｉｓｔにおいて一切の削除操作を行わない。元のｍｅａｓＯｂｊｅｃｔＩｄ  ２と再度割り当てられたｍｅａｓＯｂｊｅｃｔＩｄ  １との対応関係をＰｓｃｅｌｌのＲＲＣ接続エンティティのｍｅａｓＯｂｊｅｃｔＩｄのマッピングリストから削除する。
【０１２４】
ＵＥは、ｒｅｐｏｒｔＣｏｎｆｉｇＴｏＲｅｍｏｖｅＬｉｓｔのシグナリングの元のｒｅｐｏｒｔＣｏｎｆｉｇＩｄ値２を用いて、Ｐｓｃｅｌｌに対応するＲＲＣ接続エンティティのｒｅｐｏｒｔＣｏｎｆｉｇＩｄのマッピングリストにおいて同じ元のｒｅｐｏｒｔＣｏｎｆｉｇＩｄにマッチするものはないことを確認した。ローカルの測定ＩｄリストｍｅａｓＩｄＬｉｓｔにおいて他の測定に関連するｒｅｐｏｒｔＣｏｎｆｉｇＩｄ値は２であることがないことを照会した。ローカルのｒｅｐｏｒｔＣｏｎｆｉｇＬｉｓｔからｒｅｐｏｒｔＣｏｎｆｉｇＩｄが２であるレポート設定を削除する。
【０１２５】
ＵＥは、ｍｅａｓＩｄＴｏＲｅｍｏｖｅＬｉｓｔのシグナリングの元のｍｅａｓＩｄ値２を用いて、Ｐｓｃｅｌｌに対応するＲＲＣ接続エンティティのｍｅａｓＩｄのマッピングリストにおいて同じ元のｍｅａｓＩｄにマッチするものはないことを確認した。ローカルのｍｅａｓＩｄＬｉｓｔからｍｅａｓＩｄが２である測定項目を削除する。
【０１２６】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含み、ＰｓｃｅｌｌのｍｅａｓＯｂｊｅｃｔＩｄのマッピングリストは空である。
【０１２７】
ステップＳ７０９において、ＵＥは、Ｐｓｃｅｌｌに再設定完了シグナリングを送信する。ＵＥは、ＰｓｃｅｌｌにＲＲＣ接続の再設定完了シグナリングを送信し、測定の削除が完了したことを通知する。
【０１２８】
シナリオ３において、異なるＲＲＣ接続エンティティが送信した測定再設定シグナリングのレポート設定Ｉｄが競合する場合、図８に示すように、ステップＳ８０１〜ステップＳ８０９を含む。
【０１２９】
ステップＳ８０１において、Ｐｃｅｌｌは、測定１を追加するシグナリングをＵＥに送信する。
【０１３０】
ＵＥがＰｃｅｌｌに接続した後、ＰｃｅｌｌはＵＥに測定ＭｅａｓＩｄが１である測定を送信し、その測定はｍｅａｓＯｂｊｅｃｔＩｄが１である測定対象とｒｅｐｏｒｔＣｏｎｆｉｇＩｄが１であるレポート設定に関連する。ｍｅａｓＯｂｊｅｃｔＩｄが１である測定対象の周波数ポイントはｆ１である。
【０１３１】
ステップＳ８０２において、ＵＥは、測定１を追加する。
【０１３２】
ＵＥは、測定再設定シグナリングを受信した後、測定対象、レポート設定と測定Ｉｄの情報をそれぞれｍｅａｓＯｂｊｅｃｔＬｉｓｔ、ｒｅｐｏｒｔＣｏｎｆｉｇＬｉｓｔとＭｅａｓＩｄＬｉｓｔに記憶する。
【０１３３】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含む。
【０１３４】
ステップＳ８０３において、ＵＥは、Ｐｃｅｌｌに再設定完了シグナリングを送信する。
【０１３５】
ＵＥは、ＰｃｅｌｌにＲＲＣ接続の再設定完了シグナリングを送信し、測定の追加が完了したことを通知する。
【０１３６】
ステップＳ８０４において、Ｐｓｃｅｌｌは、測定２を追加するシグナリングをＵＥに送信する。
【０１３７】
ＳＮ追加が成功した後、ＰｓｃｅｌｌはＵＥに測定ｍｅａｓＩｄが２である測定を送信し、その測定はｍｅａｓＯｂｊｅｃｔＩｄが２である測定対象とｒｅｐｏｒｔＣｏｎｆｉｇＩｄが１であるレポート設定に関連する。ｍｅａｓＯｂｊｅｃｔＩｄが２である測定対象の周波数ポイントはｆ２である。
【０１３８】
ステップＳ８０５において、ＵＥは、測定２を追加する。
【０１３９】
ＵＥはＰｓｃｅｌｌの測定再設定シグナリングを受信した後、ｍｅａｓＯｂｊｅｃｔＴｏＡｄｄＭｏｄＬｉｓｔの情報要素の測定対象をローカルのｍｅａｓＯｂｊｅｃｔＬｉｓｔの測定対象と比較し、競合がないことを見出した。ＵＥは、今回の測定対象をｍｅａｓＯｂｊｅｃｔＬｉｓｔに追加する。
【０１４０】
ＵＥは、ｒｅｐｏｒｔＣｏｎｆｉｇＴｏＡｄｄＭｏｄＬｉｓｔの情報要素のレポート設定をローカルのｒｅｐｏｒｔＣｏｎｆｉｇＬｉｓｔのｒｅｐｏｒｔＣｏｎｆｉｇＩｄと比較し、ローカルにすでにｒｅｐｏｒｔＣｏｎｆｉｇＩｄが１であるレポート設定が存在することを見出した。値が１であるｒｅｐｏｒｔＣｏｎｆｉｇＩｄが１つのレポート設定を一意に表すことができない。
【０１４１】
ＵＥは、１つ目のローカルで未だ使用されていないＩｄ値２を、ｒｅｐｏｒｔＣｏｎｆｉｇＩｄのプロトコル値１〜６４の範囲内で順番に捜索して見つける。ｒｅｐｏｒｔＣｏｎｆｉｇＴｏＡｄｄＭｏｄＬｉｓｔの情報要素のレポート設定のｒｅｐｏｒｔＣｏｎｆｉｇＩｄを１から２に変更し、レポート設定をｒｅｐｏｒｔＣｏｎｆｉｇＬｉｓｔに追加する。元のｒｅｐｏｒｔＣｏｎｆｉｇＩｄ  １と再度割り当てられたｒｅｐｏｒｔＣｏｎｆｉｇＩｄ  ２との対応関係をＰｓｃｅｌｌのＲＲＣ接続エンティティのｒｅｐｏｒｔＣｏｎｆｉｇＩｄのマッピングリストに記録し、ｍｅａｓＩｄＴｏＡｄｄＭｏｄＬｉｓｔのｍｅａｓＩｄＴｏＡｄｄＭｏｄの情報要素のｒｅｐｏｒｔＣｏｎｆｉｇＩｄを２から１に置き換え、ｍｅａｓＯｂｊｅｃｔＩｄとｍｅａｓＩｄは変更せず、ｍｅａｓＩｄＬｉｓｔに記憶する。
【０１４２】
この時、ｍｅａｓＯｂｊｅｃｔＬｉｓｔは、ｍｅａｓＯｂｊｅｃｔＩｄ１：周波数ポイント１とｍｅａｓＯｂｊｅｃｔＩｄ２：周波数ポイン２を含み、ｒｅｐｏｒｔＣｏｎｆｉｇＬｉｓｔは、ｒｅｐｏｒｔＣｏｎｆｉｇＩｄ１とｒｅｐｏｒｔＣｏｎｆｉｇＩｄ２を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせと、Ｍｅａｓｉｄ２に関連するｍｅａｓＯｂｊｅｃｔＩｄ２、ｒｅｐｏｒｔＣｏｎｆｉｇＩｄ２の測定識別組み合わせを含み、ＰｓｃｅｌｌのｒｅｐｏｒｔＣｏｎｆｉｇＩｄのマッピングリストはＰｓｃｅｌｌの識別１とローカルの識別２の対応関係を含む。
【０１４３】
ステップＳ８０６において、ＵＥは、Ｐｓｃｅｌｌに再設定完了シグナリングを送信する。
【０１４４】
ＵＥは、ＰｓｃｅｌｌにＲＲＣ接続の再設定完了シグナリングを送信し、測定の追加が完了したことを通知する。
【０１４５】
ステップＳ８０７において、Ｐｓｃｅｌｌは、測定２を削除するシグナリングをＵＥに送信する。
【０１４６】
Ｐｓｃｅｌｌは、ＲＲＣ接続の再設定シグナリングをＵＥに送信し、ｍｅａｓＩｄが２である測定を削除する。
【０１４７】
ステップＳ８０８において、ＵＥは、測定２を削除する。
【０１４８】
ＵＥは、Ｐｓｃｅｌｌの測定再設定シグナリングを受信した後、ｍｅａｓＯｂｊｅｃｔＴｏＲｅｍｏｖｅＬｉｓｔシグナリングの元のｍｅａｓＯｂｊｅｃｔＩｄ値２を用いて、Ｐｓｃｅｌｌに対応するＲＲＣ接続エンティティのｍｅａｓＯｂｊｅｃｔＩｄマッピングリストにおいて同じ元のｍｅａｓＯｂｊｅｃｔＩｄにマッチするものはないことを確認した。ローカルの測定ＩｄリストｍｅａｓＩｄＬｉｓｔにおいて他の測定に関連するｍｅａｓＯｂｊｅｃｔＩｄ値は２であることがないことを照会した。ローカルのｍｅａｓＯｂｊｅｃｔＬｉｓｔからｍｅａｓＯｂｊｅｃｔＩｄが２である測定対象を削除する。
【０１４９】
ＵＥは、ｒｅｐｏｒｔＣｏｎｆｉｇＴｏＲｅｍｏｖｅＬｉｓｔのシグナリングの元のｒｅｐｏｒｔＣｏｎｆｉｇＩｄ値１を用いて、Ｐｓｃｅｌｌに対応するＲＲＣ接続エンティティのｒｅｐｏｒｔＣｏｎｆｉｇＩｄのマッピングリストにおいて対応するＵＥによって再度割り当てられたｒｅｐｏｒｔＣｏｎｆｉｇＩｄ値２を検索して見つける。ローカルの測定ＩｄリストｍｅａｓＩｄＬｉｓｔにおいて他の測定に関連するｒｅｐｏｒｔＣｏｎｆｉｇＩｄ値は２であることがないことを照会した。ローカルのｒｅｐｏｒｔＣｏｎｆｉｇＬｉｓｔからｒｅｐｏｒｔＣｏｎｆｉｇＩｄが２であるレポート設定を削除する。元のｒｅｐｏｒｔＣｏｎｆｉｇＩｄ１と再度割り当てられたｒｅｐｏｒｔＣｏｎｆｉｇＩｄ２との対応関係をＰｓｃｅｌｌのＲＲＣ接続エンティティのｒｅｐｏｒｔＣｏｎｆｉｇＩｄのマッピングリストから削除する。
【０１５０】
ＵＥは、ｍｅａｓＩｄＴｏＲｅｍｏｖｅＬｉｓｔのシグナリングの元のｍｅａｓＩｄ値２を用いて、Ｐｓｃｅｌｌに対応するＲＲＣ接続エンティティのｍｅａｓＩｄのマッピングリストにおいて同じ元のｍｅａｓＩｄにマッチするものはないことを確認した。ローカルのｍｅａｓＩｄＬｉｓｔからｍｅａｓＩｄが２である測定項目を削除する。
【０１５１】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含み、ＰｓｃｅｌｌのｒｅｐｏｒｔＣｏｎｆｉｇＩｄのマッピングリストは空である。
【０１５２】
ステップＳ８０９において、ＵＥは、Ｐｓｃｅｌｌに再設定完了シグナリングを送信する。
【０１５３】
ＵＥは、ＰｓｃｅｌｌにＲＲＣ接続の再設定完了シグナリングを送信し、測定の削除が完了したことを通知する。
【０１５４】
シナリオ４において、異なるＲＲＣ接続エンティティが送信した測定再設定シグナリングの測定Ｉｄが競合する場合、図９に示すように、ステップＳ９０１〜ステップＳ９１０を含む。
【０１５５】
ステップＳ９０１において、Ｐｃｅｌｌは、測定１を追加するシグナリングをＵＥに送信する。
【０１５６】
ＵＥがＰｃｅｌｌに接続した後、ＰｃｅｌｌはＵＥに測定ｍｅａｓＩｄが１である測定を送信し、その測定はｍｅａｓＯｂｊｅｃｔＩｄが１である測定対象とｒｅｐｏｒｔＣｏｎｆｉｇＩｄが１であるレポート設定に関連する。ｍｅａｓＯｂｊｅｃｔＩｄが１である測定対象の周波数ポイントはｆ１である。
【０１５７】
ステップＳ９０２において、ＵＥは、測定１を追加する。
【０１５８】
ＵＥは、測定再設定シグナリングを受信した後、測定対象、レポート設定と測定Ｉｄの情報をそれぞれｍｅａｓＯｂｊｅｃｔＬｉｓｔ、ｒｅｐｏｒｔＣｏｎｆｉｇＬｉｓｔとＭｅａｓＩｄＬｉｓｔに記憶する。
【０１５９】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含む。
【０１６０】
ステップＳ９０３において、ＵＥは、Ｐｃｅｌｌに再設定完了シグナリングを送信する。
【０１６１】
ＵＥは、ＰｃｅｌｌにＲＲＣ接続の再設定完了シグナリングを送信し、測定の追加が完了したことを通知する。
【０１６２】
ステップＳ９０４において、Ｐｓｃｅｌｌは、測定１を追加するシグナリングをＵＥに送信する。
【０１６３】
ＳＮ追加が成功した後、ＰｓｃｅｌｌはＵＥに測定ｍｅａｓＩｄが１である測定を送信し、その測定はｍｅａｓＯｂｊｅｃｔＩｄが２である測定対象とｒｅｐｏｒｔＣｏｎｆｉｇＩｄが２であるレポート設定に関連する。ｍｅａｓＯｂｊｅｃｔＩｄが２である測定対象の周波数ポイントはｆ２である。
【０１６４】
ステップＳ９０５において、ＵＥは、測定１を追加する。
【０１６５】
ＵＥはＰｓｃｅｌｌの測定再設定シグナリングを受信した後、ｍｅａｓＯｂｊｅｃｔＴｏＡｄｄＭｏｄＬｉｓｔの情報要素の測定対象をローカルのｍｅａｓＯｂｊｅｃｔＬｉｓｔの測定対象と比較し、競合がないことを見出した。ＵＥは、今回の測定対象をｍｅａｓＯｂｊｅｃｔＬｉｓｔに追加する。
【０１６６】
ＵＥは、ｒｅｐｏｒｔＣｏｎｆｉｇＴｏＡｄｄＭｏｄＬｉｓｔの情報要素のレポート設定をローカルのｒｅｐｏｒｔＣｏｎｆｉｇＬｉｓｔのｒｅｐｏｒｔＣｏｎｆｉｇＩｄと比較し、競合がないことを確認し、レポート設定をｒｅｐｏｒｔＣｏｎｆｉｇＬｉｓｔに追加する。
【０１６７】
ＵＥは、ｍｅａｓＩｄＴｏＡｄｄＭｏｄＬｉｓｔのｍｅａｓＩｄＴｏＡｄｄＭｏｄの情報要素をローカルのｍｅａｓＩｄＬｉｓｔと比較し、ローカルにすでにｍｅａｓＩｄが１である測定識別の組み合わせが存在することを見出した。値が１であるｍｅａｓＩｄが１つの測定識別の組み合わせを一意に表すことができない。
【０１６８】
ＵＥは、１つ目のローカルで未だ使用されていないＩｄ値２を、ｍｅａｓＩｄのプロトコル値１〜６４の範囲内で順番に捜索して見つける。ｍｅａｓＩｄＴｏＡｄｄＭｏｄＬｉｓｔのｍｅａｓＩｄＴｏＡｄｄＭｏｄの情報要素のｍｅａｓＩｄを１から２に変更し、ｍｅａｓＯｂｊｅｃｔＩｄとｒｅｐｏｒｔＣｏｎｆｉｇＩｄは変更せず、ｍｅａｓＩｄＬｉｓｔに記憶する。元のｍｅａｓＩｄ  １と再度割り当てられたｍｅａｓＩｄ  ２との対応関係をＰｓｃｅｌｌのＲＲＣ接続エンティティのｍｅａｓＩｄのマッピングリストに記録する。
【０１６９】
この時、ｍｅａｓＯｂｊｅｃｔＬｉｓｔは、ｍｅａｓＯｂｊｅｃｔＩｄ１：周波数ポイント１とｍｅａｓＯｂｊｅｃｔＩｄ２：周波数ポイン２を含み、ｒｅｐｏｒｔＣｏｎｆｉｇＬｉｓｔは、ｒｅｐｏｒｔＣｏｎｆｉｇＩｄ１とｒｅｐｏｒｔＣｏｎｆｉｇＩｄ２を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせと、Ｍｅａｓｉｄ２に関連するｍｅａｓＯｂｊｅｃｔＩｄ２、ｒｅｐｏｒｔＣｏｎｆｉｇＩｄ２の測定識別組み合わせを含み、ＰｓｃｅｌｌのＭｅａｓＩｄのマッピングリストはＰｓｃｅｌｌの識別１とローカルの識別２の対応関係を含む。
【０１７０】
ステップＳ９０６において、ＵＥは、Ｐｓｃｅｌｌに再設定完了シグナリングを送信する。
【０１７１】
ＵＥは、ＰｓｃｅｌｌにＲＲＣ接続の再設定完了シグナリングを送信し、測定の追加が完了したことを通知する。
【０１７２】
ステップＳ９０７において、ＵＥは、Ｐｓｃｅｌｌに測定レポートシグナリングを送信する。
【０１７３】
ＭｅａｓＩｄＬｉｓｔのＭｅａｓＩｄ２は測定レポート条件を満足し、ＵＥは測定によりローカルｍｅａｓＩｄ２に関連する測定項目の測定結果を取得した後、測定結果をＲＲＣ接続の測定レポートシグナリングに記入し、Ｐｓｃｅｌｌに対応するＲＲＣ接続エンティティのｍｅａｓＩｄのマッピングリストから対応する元のｍｅａｓＩｄ値を捜索して見つけて１であり、測定レポートシグナリングのｍｅａｓＩｄの情報要素を１と記入する。Ｐｓｃｅｌｌに測定レポートシグナリングを送信する。
【０１７４】
ステップＳ９０８において、Ｐｓｃｅｌｌは、測定１を削除するシグナリングをＵＥに送信する。
【０１７５】
Ｐｓｃｅｌｌは、ＲＲＣ接続の再設定シグナリングをＵＥに送信し、ｍｅａｓＩｄが１である測定を削除する。
【０１７６】
ステップＳ９０９において、ＵＥは、測定１を削除する。
【０１７７】
ＵＥは、Ｐｓｃｅｌｌの測定再設定シグナリングを受信した後、ｍｅａｓＯｂｊｅｃｔＴｏＲｅｍｏｖｅＬｉｓｔシグナリングの元のｍｅａｓＯｂｊｅｃｔＩｄ値２を用いて、Ｐｓｃｅｌｌに対応するＲＲＣ接続エンティティのｍｅａｓＯｂｊｅｃｔＩｄマッピングリストにおいて同じ元のｍｅａｓＯｂｊｅｃｔＩｄにマッチするものはないことを確認した。ローカルの測定ＩｄリストｍｅａｓＩｄＬｉｓｔにおいて他の測定に関連するｍｅａｓＯｂｊｅｃｔＩｄ値は２であることがないことを照会した。ローカルのｍｅａｓＯｂｊｅｃｔＬｉｓｔからｍｅａｓＯｂｊｅｃｔＩｄが２である測定対象を削除する。
【０１７８】
ＵＥは、ｒｅｐｏｒｔＣｏｎｆｉｇＴｏＲｅｍｏｖｅＬｉｓｔのシグナリングの元のｒｅｐｏｒｔＣｏｎｆｉｇＩｄ値２を用いて、Ｐｓｃｅｌｌに対応するＲＲＣ接続エンティティのｒｅｐｏｒｔＣｏｎｆｉｇＩｄのマッピングリストにおいて同じ元のｒｅｐｏｒｔＣｏｎｆｉｇＩｄにマッチするものはないことを確認した。ローカルの測定ＩｄリストｍｅａｓＩｄＬｉｓｔにおいて他の測定に関連するｒｅｐｏｒｔＣｏｎｆｉｇＩｄ値は２であることがないことを照会した。ローカルのｒｅｐｏｒｔＣｏｎｆｉｇＬｉｓｔからｒｅｐｏｒｔＣｏｎｆｉｇＩｄが２であるレポート設定を削除する。
【０１７９】
ＵＥは、ｒｅｐｏｒｔＣｏｎｆｉｇＴｏＲｅｍｏｖｅＬｉｓｔのシグナリングの元のｍｅａｓＩｄ値１を用いて、Ｐｓｃｅｌｌに対応するＲＲＣ接続エンティティのｍｅａｓＩｄのマッピングリストにおいて対応するＵＥによって再度割り当てられたｍｅａｓＩｄ値を検索して見つけて２である。ローカルのｍｅａｓＩｄＬｉｓｔからｍｅａｓＩｄが２である測定項目を削除する。元のｍｅａｓＩｄ１と再度割り当てられたｍｅａｓＩｄ２との対応関係をＰｓｃｅｌｌのＲＲＣ接続エンティティのｍｅａｓＩｄのマッピングリストから削除する。
【０１８０】
この時、ｍｅａｓＯｂｊｅｃｔＬｉｓｔは、ｍｅａｓＯｂｊｅｃｔＩｄ１：周波数ポイント１を含み、ｒｅｐｏｒｔＣｏｎｆｉｇＬｉｓｔは、ｒｅｐｏｒｔＣｏｎｆｉｇＩｄ１を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせを含み、ＰｓｃｅｌｌのＭｅａｓＩｄのマッピングリストは空である。
【０１８１】
ステップＳ９１０において、ＵＥは、Ｐｓｃｅｌｌに再設定完了シグナリングを送信する。ＵＥは、ＰｓｃｅｌｌにＲＲＣ接続の再設定完了シグナリングを送信し、測定の削除が完了したことを通知する。
【０１８２】
シナリオ５において、異なるＲＲＣ接続エンティティのＩｄが競合した後、ＵＥに割り当て可能なＩｄリソースがなく、この場合、図１０に示すように、ステップＳ１００１〜ステップＳ１００７を含む。
【０１８３】
ステップＳ１００１において、Ｐｃｅｌｌは、測定１〜６４を追加するシグナリングをＵＥに送信する。
【０１８４】
ＵＥがＰｃｅｌｌに接続した後、ＰｃｅｌｌはＵＥに測定ＭｅａｓＩｄが１〜６４である６４個の測定を送信し、それらの測定はそれぞれｍｅａｓＯｂｊｅｃｔＩｄが１〜６４である測定対象とｒｅｐｏｒｔＣｏｎｆｉｇＩｄが１であるレポート設定に関連する。ｍｅａｓＯｂｊｅｃｔＩｄが１〜６４である測定対象の周波数ポイントはｆ１〜ｆ６４である。
【０１８５】
ステップＳ１００２において、ＵＥは、測定１〜６４を追加する。
【０１８６】
ＵＥは、測定再設定シグナリングを受信した後、測定対象、レポート設定と測定Ｉｄの情報をそれぞれｍｅａｓＯｂｊｅｃｔＬｉｓｔ、ｒｅｐｏｒｔＣｏｎｆｉｇＬｉｓｔとＭｅａｓＩｄＬｉｓｔに記憶する。
【０１８７】
この時、ｍｅａｓＯｂｊｅｃｔＬｉｓｔは、ｍｅａｓＯｂｊｅｃｔＩｄ１：周波数ポイント１、…、ｍｅａｓＯｂｊｅｃｔＩｄｉ周波数ポイントｉ、…、ｍｅａｓＯｂｊｅｃｔＩｄ６４：周波数ポイント６４を含み、ｒｅｐｏｒｔＣｏｎｆｉｇＬｉｓｔは、ｒｅｐｏｒｔＣｏｎｆｉｇＩｄ１、…、ｒｅｐｏｒｔＣｏｎｆｉｇＩｄｉ、…、ｒｅｐｏｒｔＣｏｎｆｉｇＩｄ６４を含み、ＭｅａｓＩｄＬｉｓｔは、Ｍｅａｓｉｄ１に関連するｍｅａｓＯｂｊｅｃｔＩｄ１、ｒｅｐｏｒｔＣｏｎｆｉｇＩｄ１の測定識別組み合わせ、…、Ｍｅａｓｉｄｉに関連するｍｅａｓＯｂｊｅｃｔＩｄｉ、ｒｅｐｏｒｔＣｏｎｆｉｇＩｄ１の測定識別組み合わせ、…、Ｍｅａｓｉｄ６４に関連するｍｅａｓＯｂｊｅｃｔＩｄ６４、ｒｅｐｏｒｔＣｏｎｆｉｇＩｄ１の測定識別組み合わせを含む。
【０１８８】
ステップＳ１００３において、ＵＥは、Ｐｃｅｌｌに再設定完了シグナリングを送信する。
【０１８９】
ＵＥは、ＰｃｅｌｌにＲＲＣ接続の再設定完了シグナリングを送信し、測定の追加が完了したことを通知する。
【０１９０】
ステップＳ１００４において、Ｐｓｃｅｌｌは、測定２を追加するシグナリングをＵＥに送信する。
【０１９１】
ＳＮ追加が成功した後、ＰｓｃｅｌｌはＵＥに測定ｍｅａｓＩｄが２である測定を送信し、その測定はｍｅａｓＯｂｊｅｃｔＩｄが１である測定対象とｒｅｐｏｒｔＣｏｎｆｉｇＩｄが２であるレポート設定に関連する。ｍｅａｓＯｂｊｅｃｔＩｄが１である測定対象の周波数ポイントはｆ６５である。
【０１９２】
ステップＳ１００５において、ＵＥは、測定２の追加が失敗する。
【０１９３】
ＵＥはＰｓｃｅｌｌの測定再設定シグナリングを受信した後、ｍｅａｓＯｂｊｅｃｔＴｏＡｄｄＭｏｄＬｉｓｔの情報要素の測定対象をローカルのｍｅａｓＯｂｊｅｃｔＬｉｓｔの測定対象と比較し、ローカルの測定周波数ポイントｆ１のｍｅａｓＯｂｊｅｃｔＩｄと、情報要素の測定周波数ポイントｆ６５のｍｅａｓＯｂｊｅｃｔＩｄはいずれも１であり、１つの測定対象を一意に表すことができないことを見出した。
【０１９４】
ＵＥは、ローカルで未だ使用されていないＩｄ値を、ｍｅａｓＯｂｊｅｃｔＩｄのプロトコル値１〜６４の範囲内で順番に捜索して、使用可能なＩｄリソースがもう存在しないことを見出した。今回の測定対象をｍｅａｓＯｂｊｅｃｔＬｉｓｔに追加しない。
【０１９５】
ステップＳ１００６において、ＵＥは、Ｐｓｃｅｌｌに再設定無効シグナリングを送信する。
【０１９６】
ＵＥは、ＰｓｃｅｌｌにＲＲＣ測定の再設定無効シグナリングを送信する。
【０１９７】
ステップＳ１００７において、Ｐｓｃｅｌｌは、測定２を有効にしない。
【０１９８】
ＰｓｃｅｌｌがＲＲＣ接続の再設定無効シグナリングを受信すると、今回の測定２はセル側で有効にしない。
【０１９９】
本願は、コンピューター可読記憶媒体には少なくとも１つのプログラムが記憶され、少なくとも１つのプログラムが実行されて本願に係るすべてのマルチ基地局接続管理方法を実現する、コンピューター可読記憶媒体を提供する。
【０２００】
本願実施例に係るマルチ基地局接続管理方法、ユーザー端末及びコンピューター可読記憶媒体によれば、ユーザー端末がセルからの測定再設定シグナリングを受信すると、端末ローカル測定設定リストとセルに対応する識別マッピングリストを呼び出し、測定再設定シグナリングに携帯された測定パラメータを処理し、このようにして、今回受信した測定パラメータとローカルに実行している測定の測定パラメータとの競合が存在しても、端末ローカル測定設定リストとセルに対応する識別マッピングリストに基づいてこの競合を解決でき、ユーザー端末側で異なるセルから送信された測定に対して、識別の競合の検出と競合する識別の再度割り当て及びマッピングを実現し、ＵＥ側で受信した異なる測定の識別が競合することを回避し、さらに、測定の識別が競合することによって異常な測定結果または他の異常な動作が発生することもなく、関連技術においてＭＮとＳＮの測定メカニズムが互いに独立していることに起因してＵＥ側より受信した異なる測定の識別が競合する状況を回避し、ユーザーの使用体験を向上した。
【０２０１】
上述した本願実施例の各モジュールと各ステップは、汎用的な計算装置で実現可能であり、１つの計算装置に集中してもよいか、あるいは、複数の計算装置からなるネットワークに分布してもよい。例えば、計算装置における実行可能なプログラムコードで実現可能であるため、例えば、読み取り専用メモリ／ランダムアクセスメモリ（Ｒｅａｄ−Ｏｎｌｙ  Ｍｅｍｏｒｙ／Ｒａｎｄｏｍ  Ａｃｃｅｓｓ  Ｍｅｍｏｒｙ、ＲＯＭ／ＲＡＭ）、磁気ディスク、光ディスクなどのコンピューター記憶媒体に記憶されて計算装置により実行してもよく、且ついくつかの状況では、ここで示すか又は説明したステップとは異なる順序で実行してもよく、さらにそれぞれ集積回路のモジュールにしてもよく、あるいは、それらの複数のモジュール又はステップを単体の集積回路のモジュールにして実現する。このため、本願は特定のハードウェアとソフトウェアの組み合わせに制限されない。
【図１】
2021501535.tif 000003
【図２】
2021501535.tif 000004
【図３】
2021501535.tif 000005
【図４】
2021501535.tif 000006
【図５】
2021501535.tif 000007
【図６】
2021501535.tif 000008
【図７】
2021501535.tif 000009
【図８】
2021501535.tif 000010
【図９】
2021501535.tif 000011
【図１０】
2021501535.tif 000012
【国際調査報告】
2021501535.tif 000013
2021501535.tif 000014
2021501535.tif 000015
2021501535.tif 000016